(57)【要約】【課題】ディスプレイ板の前面だけでなく、前面と背面の両面にハンガー手段を係止できるようにして、１枚のディスプレイ板に、できる限り多数（多種）の販売商品や展示商品等の物品を吊り下げ展示できるようにすることにある。【解決手段】プレート状基板１に垂直方向に設けた二つ折目２を挟んで水平方向に長く直線スリット状に孔設した複数の長孔部３を備えたディスプレイ板Ａと、前記長孔部３内に着脱可能に嵌着し且つ該長孔部３の下辺３ａに吊下可能な逆Ｕ字形板状の吊下支持部５の前面側に突出するディスプレイ対象物品を吊り下げる吊下部８とを設けたハンガー手段Ｂとから構成され、前記吊下支持部５は前面板６と後面板７とにより構成されている。【選択図】図１
2006180997.tif 000002
【特許請求の範囲】
【請求項１】
プレート状基板１に垂直方向に設けた二つ折目２を挟んで水平方向に長く直線スリット状に孔設した複数の長孔部３を備えたディスプレイ板Ａと、前記長孔部３内に着脱可能に嵌着し且つ該長孔部３の下辺３ａに吊下可能な逆Ｕ字形板状の吊下支持部５の前面側に突出するディスプレイ対象物品を吊り下げる吊下部８とを設けたハンガー手段Ｂとから構成されることを特徴とする着脱可能ハンガーディスプレイ。
【請求項２】
前記ハンガー手段Ｂの逆Ｕ字形板状の吊下支持部５は、そのＵ字形屈曲部５ａを挟んで前面板６と後面板７とを備え、少なくとも該後面板７は、前記ディスプレイ板Ａのプレート状基板１の長孔部３内に嵌入可能な厚さ、サイズを備え、該後面板７を長孔部３内に嵌入した後に、前面板６と後面板７との対向内面に長孔部３の下辺３ａを嵌入させることにより前記プレート状基板１に吊り下げられてディスプレイ板Ａに取り付けられることを特徴とする請求項１記載の着脱可能ハンガーディスプレイ。
【請求項３】
前記逆Ｕ字形板状の吊下支持部５の前面板６内面が、前記プレート状基板１の長孔部３下辺３ａより下部外面に当接することにより、該前面板６の前面側に突出する吊下部８の先端側が吊下物品荷重により不必要に下がらないように保持されることを特徴とする請求項１又は２記載の着脱可能ハンガーディスプレイ。
【請求項４】
前記逆Ｕ字形板状の吊下支持部５の前面板６の長さは、前記後面板７の長さと同じ長さ又は前記後面板７の長さより長いことを特徴とする請求項１乃至３のいずれか１項記載の着脱可能ハンガーディスプレイ。
【請求項５】
前記ディスプレイ板Ａに水平方向に長く直線スリット状に孔設した前記長孔部３の全て又は一部には、その長孔部３の直線方向両端の上辺３ｂに上向きに各々切込部３ｃ、３ｃが設けられていることを特徴とする請求項１乃至４のいずれか１項記載の着脱可能ハンガーディスプレイ。
【請求項６】
前記ディスプレイ板Ａの両側のプレート状基板１の裏面には、二つ折目２を挟んでそれぞれ別々に又は二つ折目２を跨いで連続して、その裏面内面同士を接合固定するための接合部材４ａが設けられていることを特徴とする請求項１乃至５のいずれか１項記載の着脱可能ハンガーディスプレイ。
【請求項７】
前記ディスプレイ板Ａの両側のプレート状基板１の裏面には、二つ折目２を跨いで連続して、塑性変形折り曲げ可能な金属薄板４ｂが取り付けられていることを特徴とする請求項１乃至６のいずれか１項記載の着脱可能ハンガーディスプレイ。
【発明の詳細な説明】
【技術分野】
【０００１】
本発明は、各種商品等の物品を吊り下げて販売、展示するための着脱可能ハンガーディスプレイに関する。
【背景技術】
【０００２】
従来の各種商品等の物品を吊り下げ、販売、展示するためのハンガーディスプレイとしては、プレート状基板に複数個所に孔設した孔部内に、物品吊り下げ用の吊下支持部を嵌着して、その基板の裏面側にて、該吊下支持部の係止板を係止するようにした取付け取外し可能なハンガーディスプレイがある。
【０００３】
例えば、図４（ａ）に示すようにプレート状基板１１に複数個所に孔部１２を孔設し、その基板１１の裏面にスペーサ１４を介して裏面板１４を設けたディスプレイ板Ａと、（ｂ）に示すように、吊下支持部１５の上下に係止板１６、１６を備え、その支持板１５の前面に商品を吊り下げる吊下部１７を突出して設けたハンガー手段Ｂを備え、（ｃ）に示すように、ディスプレイ板Ａの孔部１２内に、ハンガー手段Ｂをその上下に設けた係止板１６、１６を嵌入して係止したハンガーディスプレイ（特開２０００−３００４０２参照）がある。
【０００４】
上記のような従来のハンガーディスプレイにおいては、ハンガー手段Ｂは、ディスプレイ板Ａの前面に設けた孔部１２内に係止するようになっていて、ディスプレイ板Ａの前面と背面の両面には係止できず、背面には係止することはできないため、ディスプレイ板Ａに係止できるハンガー手段Ｂの係止個数に限りがある。
【０００５】
以下に、本発明に関連する公知文献を記載する。
【特許文献１】特開２０００−３００４０２号公報
【発明の開示】
【発明が解決しようとする課題】
【０００６】
本発明はハンガーディスプレイにおいて、ディスプレイ板の前面だけでなく、前面と背面の両面にハンガー手段Ｂを係止できるようにして、１枚のディスプレイ板に、できる限り多数（多種）の販売商品や展示商品等の物品を吊り下げ展示できるようにすることにある。
【課題を解決するための手段】
【０００７】
本発明の請求項１に係る発明は、プレート状基板１に垂直方向に設けた二つ折目２を挟んで水平方向に長く直線スリット状に孔設した複数の長孔部３を備えたディスプレイ板Ａと、前記長孔部３内に着脱可能に嵌着し且つ該長孔部３の下辺３ａに吊下可能な逆Ｕ字形板状の吊下支持部５の前面側に突出するディスプレイ対象物品を吊り下げる吊下部８とを設けたハンガー手段Ｂとから構成されることを特徴とする着脱可能ハンガーディスプレイである。
【０００８】
本発明の請求項２に係る発明は、上記請求項１に係る着脱可能ハンガーディスプレイにおいて、前記ハンガー手段Ｂの逆Ｕ字形板状の吊下支持部５は、そのＵ字形屈曲部５ａを挟んで前面板６と後面板７とを備え、少なくとも該後面板７は、前記ディスプレイ板Ａのプレート状基板１の長孔部３内に嵌入可能な厚さ、サイズを備え、該後面板７を長孔部３内に嵌入した後に、前面板６と後面板７との対向内面に長孔部３の下辺３ａを嵌入させる
ことにより前記プレート状基板１に吊り下げられてディスプレイ板Ａに取り付けられることを特徴とする着脱可能ハンガーディスプレイである。
【０００９】
本発明の請求項３に係る発明は、上記請求項１又は２に係る着脱可能ハンガーディスプレイにおいて、前記逆Ｕ字形板状の吊下支持部５の前面板６内面が、前記プレート状基板１の長孔部３下辺３ａより下部外面に当接することにより、該前面板６の前面側に突出する吊下部８の先端側が吊下物品荷重により不必要に下がらないように保持されることを特徴とする着脱可能ハンガーディスプレイである。
【００１０】
本発明の請求項４に係る発明は、上記請求項１乃至３のいずれか１項に係る着脱可能ハンガーディスプレイにおいて、前記逆Ｕ字形板状の吊下支持部５の前面板６の長さは、前記後面板７の長さと同じ長さ又は前記後面板７の長さより長いことを特徴とする着脱可能ハンガーディスプレイである。
【００１１】
本発明の請求項５に係る発明は、上記請求項１乃至４のいずれか１項に係る着脱可能ハンガーディスプレイにおいて、前記ディスプレイ板Ａに水平方向に長く直線スリット状に孔設した前記長孔部３の全て又は一部には、その長孔部３の直線方向両端の上辺３ｂに上向きに各々切込部３ｃ、３ｃが設けられていることを特徴とする着脱可能ハンガーディスプレイである。
【００１２】
本発明の請求項６に係る発明は、上記請求項１乃至５のいずれか１項に係る着脱可能ハンガーディスプレイにおいて、前記ディスプレイ板Ａの両側のプレート状基板１の裏面には、二つ折目２を挟んでそれぞれ別々に又は二つ折目２を跨いで連続して、その裏面内面同士を接合固定するための接合部材４ａが設けられていることを特徴とする着脱可能ハンガーディスプレイである。
【００１３】
本発明の請求項７に係る発明は、上記請求項１乃至６のいずれか１項に係る着脱可能ハンガーディスプレイにおいて、前記ディスプレイ板Ａの両側のプレート状基板１の裏面には、二つ折目２を跨いで連続して、塑性変形折り曲げ可能な金属薄板４ｂが取り付けられていることを特徴とする着脱可能ハンガーディスプレイである。
【発明の効果】
【００１４】
本発明の着脱可能ハンガーディスプレイは、ディスプレイ板Ａが、プレート状基板１に垂直方向に設けた二つ折目２と、該折目を挟んで水平方向に直線スリット状に孔設した複数の長孔部３とを備えており、前記長孔部３内には、該長孔部３の下辺３ａに吊下可能な逆Ｕ字形板状の吊下支持部５を吊り下げて、その支持部５の前面側に突出するディスプレイ対象物品を吊り下げる吊下部８に、物品を吊り下げることができるようにしたものである。
【００１５】
本発明の着脱可能ハンガーディスプレイにおけるディスプレイ板Ａは二つに折り畳むことができるので、従来のハンガーディスプレイのディスプレイ板よりも、略２倍のサイズのディスプレイ板Ａを用いて、二つに折り畳んで、そのディスプレイ板Ａの前面側と背面側との両面にハンガー手段Ｂを係止して展示することができ、あるいは折り畳まずに前面側のみにハンガー手段Ｂを係止して展示することができる。
【発明を実施するための最良の形態】
【００１６】
本発明の着脱可能ハンガーディスプレイを、その実施の形態に沿って以下に詳細に説明すれば、図１（ａ）は、本発明の着脱可能ハンガーディスプレイのディスプレイ板Ａの一実施の形態を示し、（ｂ）は、そのハンガー手段Ｂの一実施の形態を示すものである。
【００１７】
図１（ａ）に示すように、ディスプレイ板Ａは、プレート状基板１に垂直方向に二つ折目２が設けられており、その折目２を挟んで、水平方向に長く直線スリット状に、複数の長孔部３が孔設されている。また、ディスプレイ板Ａの上端部には、必要に応じて吊下用のワイヤーや紐９を取り付けてもよい。なお、プレート状基板１の形成材質は、本発明においては特に限定されるものではないが、例えば、板紙、段ボール板、プラスチック板、金属板等により形成されている。また、折目２の形成は、罫押し等による折り癖付け加工でもよいし、あるいは接着テープや蝶番等のヒンジ材を用いて形成してもよい。
【００１８】
図１（ｂ）に示すように、ハンガー手段Ｂは、前記長孔部３内に着脱可能に嵌着し且つ該長孔部３の下辺３ａに吊下可能な逆Ｕ字形板状の吊下支持部５を備え、その前面側には、ディスプレイ対象物品を吊り下げる吊下部８が突出して設けられている。なお、吊下支持部５、吊下部８の形成材は、本発明においては特に限定されるものではなく、例えば、プラスチック、金属、板紙等により形成されている。
【００１９】
前記吊下部８の形状としては、本発明においては特に限定されるものではないが、例えば、図１（ｂ）に示すようにシャフト状であり、そのシャフト状先端部が徐々に高く傾斜するシャフト状であってもよいし、又はそのシャフト状先端部が直線状の直線シャフト状であってもよい。また、前記吊下部８の形状としては、屈曲鉤状であってＬ字型鉤状、円形リング状等の適宜な形状でよい。
【００２０】
前記ハンガー手段Ｂの逆Ｕ字形板状の吊下支持部５は、Ｕ字形屈曲部５ａを挟んで前面板６と後面板７とを備え、少なくとも後面板７は前記長孔部３内に嵌入可能な厚さ、サイズを備え、該後面板７を長孔部３内に嵌入した後に、前面板６と後面板７との対向内面にディスプレイ板Ａの長孔部３の下辺３ａを嵌入させて吊下支持部５は基板１に吊り下げられ、図２（ａ）に示すようにハンガー手段Ｂはディスプレイ板Ａに嵌着されて取り付けられる。またディスプレイ板Ａよりハンガー手段Ｂを取り外す場合は、ハンガー手段Ｂの吊下支持部５を上方に持ち上げて、その後面板７を長孔部３内より離脱させることにより取り外すことができる。
【００２１】
なお、ディスプレイ板Ａに水平方向に長く直線スリット状に設けた各々長孔部３には、１個のハンガー手段Ｂを取り付けてもよいし、複数個のハンガー手段Ｂを並べて取り付けてもよい。
【００２２】
図１（ｂ）に示すハンガー手段Ｂの前面板６は後面板７と同じ長さであってもよいが、後面板７よりも長いことが適当である。
【００２３】
図２（ａ）に示すようにして取り付けられた後のハンガー手段Ｂの吊下部８には、販売商品、展示品等の物品Ｃとして吊り下げられ、該吊下部８は、その吊下支持部５の前面板６の内面がディスプレイ板Ａの長孔部３の下辺３ａより下部外面に当接することにより、突出する吊下部８の先端側が不必要に下がらないように保持することができるようになっており、ディスプレイ板Ａの長孔部３下部外面に安定して当接するためには、前面板６の長さは後面板７の長さよりも長い方が好適である。
【００２４】
ディスプレイ板Ａに水平方向に長く直線スリット状に孔設した前記長孔部３の全て、又は一部には、例えば、図１（ａ）、図２（ａ）に示すように、その長孔部３の直線方向両端の上辺３ｂに上向きに、必要に応じて、各々切込部３ｃ、３ｃを設けるようにしてもよい。
【００２５】
この切込部３ｃを設けることにより、ディスプレイ板Ａを形成するプレート状基板１の長孔部３の上辺３ｂが、その両端の切込部３ｃに沿う分離と該基板１の弾力性とにより、
長孔部３の内方に撓み易くなって、後面板７を長孔部３内に嵌入する際に嵌入し易くすることができる。
【００２６】
図２（ｂ）は、本発明の着脱可能ハンガーディスプレイにおけるディスプレイ板Ａの裏面構造を示し、該ディスプレイ板Ａの両側のプレート状基板１の裏面には、二つ折目２を挟んでそれぞれ別々に、又は二つ折目２を跨いで連続して、該裏面を内面にしてディスプレイ板Ａ（プレート状基板１）を二つ折目２を介して折り畳んだ際に、その裏面内面同士を接合固定するための接合部材４ａを必要に応じて設けることができる。
【００２７】
前記接合部材４ａとしては本発明においては特に限定されるものではないが、例えば、面ファスナー、マジックテープ（登録商標）、粘着材、マグネット（永久磁石）等が適当である。
【００２８】
また、本発明の着脱可能ハンガーディスプレイにおけるディスプレイ板Ａの両側のプレート状基板１の裏面又は該基板１の層間には、その二つ折目２を跨いで連続して、プレート状基板１面の全面又は部分面に、比較的柔軟性のある塑性変形折り曲げ可能なブリキ板、アルミ板、真鍮板、銅板等の金属薄板４ｂ（平坦乃至折曲状態を保持する保持板）を、接着剤等を介して貼り付けるなどして取り付けることができる。なお、同じプレート状基板１には、該金属薄板４ｂと前記接合部材４ａとのいずれか１方又は両方を取り付けることができる。
【００２９】
本発明の着脱可能ハンガーディスプレイは、図２（ａ）に示すように、ディスプレイ板Ａを折目２を介して折り曲げずに平坦な状態で、本発明の着脱可能ハンガーディスプレイの前面のみを使用することができる。
【００３０】
また、本発明の着脱可能ハンガーディスプレイは、図３（ａ）に示すように、ディスプレイ板Ａを折目２を介して、又は折目２と前述した金属薄板４ｂとを介して、直角に折り曲げて使用することができ、この場合には、直角に折り曲げたディスプレイ板Ａは、水平な販売台や展示台上に垂直に立てた状態で使用したり、販売コーナー部や展示コーナー部の角部に沿って立設して使用することができる。また、前記金属薄板４ｂを設けている場合には塑性変形によりその折り曲げ状態を維持できるので、直角９０°に限らず、好みの開閉角度に折り曲げることによって使用することができる。
【００３１】
また、本発明の着脱可能ハンガーディスプレイは、図３（ｂ）に示すように、ディスプレイ板Ａを折目２を介して、又は折目２と前述した金属薄板４ｂとを介して、折り返し、その折り返し内面同士を重ね合わせた状態、又は必要に応じてその折り返し内面同士を重ね合わせて接合部材４ａにて接合固定した状態、又は金属薄板４ｂを設けている場合には必要に応じてその折り返し内面同士を重ね合わせて金属薄板の塑性変形によりその重ね合わせを維持した状態にて、本発明の着脱可能ハンガーディスプレイの前面と背面とを使用することができる。
【図面の簡単な説明】
【００３２】
【図１】（ａ）は本発明の着脱可能ハンガーディスプレイのディスプレイ板の全体斜視図、（ｂ）はそのディスプレイ板に嵌着されるハンガー手段の全体斜視図。
【図２】（ａ）は本発明の着脱可能ハンガーディスプレイのディスプレイ板にハンガー手段を取り付けた状態を説明する斜視図、（ｂ）は本発明の着脱可能ハンガーディスプレイの裏面構造を説明する斜視図。
【図３】（ａ）は本発明の着脱可能ハンガーディスプレイのディスプレイ板を直角状に折り曲げた状態を説明する部分斜視図、（ｂ）は本発明の着脱可能ハンガーディスプレイのディスプレイ板を折り返し重ね合わせた状態を説明する部分斜視図。
【図４】（ａ）は従来の着脱可能ハンガーディスプレイのディスプレイ板の全体斜視図、（ｂ）はそのディスプレイ板に嵌着されるハンガー手段の全体斜視図、（ｃ）はその着脱可能ハンガーディスプレイのディスプレイ板にハンガー手段を取り付けた状態の斜視図。
【符号の説明】
【００３３】
Ａ…ディスプレイ板
Ｂ…ハンガー手段
Ｃ…販売・展示用物品
１…プレート状基板
２…二つ折目
３…長孔部
３ａ…下辺
３ｂ…上辺
３ｃ…切込部
４ａ…接合部材
４ｂ…金属薄板
５…吊下支持部
６…前面板
７…後面板
８…吊下部
９…紐
【図１】
2006180997.tif 000003
【図２】
2006180997.tif 000004
【図３】
2006180997.tif 000005
【図４】
2006180997.tif 000006